(57)【特許請求の範囲】
【請求項１】
緩衝機能を果たす弾性を備えた樹脂材料よりなる容器構造の箱体を構成し、この箱体に一つの長方形状の容器部分を形成し、該容器部分の長手方向の両側面に深さ方向に沿って延びる側面リブを長手方向に沿って複数設け、前記容器部分の長手方向の両端部にそれぞれ端面リブを設けることによって、物品の横移動及び上下移動を拘束する弾性を有して前記物品を他の介在物なしに直接保持する保持構造を設け、
前記容器部分で、長さが異なる複数の物品のうちの一つの物品を保持可能とした包装箱。
【請求項２】
緩衝機能を果たす弾性を備えた樹脂材料よりなる容器構造の箱体を構成し、この箱体に複数の長方形状の容器部分を形成し、該各容器部分の長手方向の両側面に深さ方向に沿って延びる側面リブを長手方向沿って複数設け、前記各容器部分の長手方向の両端部にそれぞれ端面リブを設けることによって、物品の横移動及び上下移動を拘束する弾性を有して前記物品を他の介在物なしに直接保持する保持構造を設け、
前記複数の容器部分で、長さが異なる複数の物品を保持可能とした包装箱。
【請求項３】
請求項１又は２記載の包装箱であって、箱体の底面に嵌合凸部を設け、同箱体の容器部分の上部に前記嵌合凸部に嵌合する寸法形状の嵌合凹部を設けた包装箱。
【請求項４】
請求項３に記載の包装箱であって、嵌合凹部の横平面に容器部分を囲む溝を形成した包装箱。
【請求項５】
請求項１〜請求項４までのいずれかに記載の包装箱であって、箱体の視認可能部分に使用回数を表示する回数表示手段を設けた包装箱。
【請求項６】
請求項１〜請求項５までのいずれかに記載の包装箱であって、箱体の視認可能部分に表示部材を交換可能に表示できる表示窓を設けた包装箱。
【請求項７】
請求項１〜請求項６までのいずれかに記載の包装箱であって、箱体をポリプロピレンの発泡体で形成した包装箱。
【発明の詳細な説明】
【０００１】
【発明の属する技術分野】
本発明は、反復使用が可能な包装箱及びその荷役に供する荷役用パレットに関するものである。
【０００２】
【従来の技術】
物品の包装には、輸送や取扱いにおいて物品に対する緩衝保護機能を果たす種々の包装材が使われている。ひとつの包装体についてその多くは、紙材や木材や樹脂材等、数種類の包装材によって構成されている。こうした種類の異なる包装材が従来においては、分離の困難な形態に組合わされたり混在状態で使われてきた。環境問題についての意識の昂揚する中、解梱にあたり材料ごとに分別し易くする工夫を講じた包装装置や、リサイクル性のある段ボール材のみで構成した包装装置が開発されている。
【０００３】
例えば、特開平６―９９９８４号公報には、木材からなるパレット上に被包装物である物品を固定し、固定した物品を段ボール材の胴枠スリーブで囲み、物品の上部を段ボール材による開放箱状の蓋で被冠し、全体を結束バンドで結束する比較的質量の大きな物品に対する包装装置が示されている。この包装装置では、材料別に分けて解梱することができ、廃却性とリサイクル性の向上が図られている。
【０００４】
【発明が解決しようとする課題】
包装分野において、特開平６―９９９８４号公報に示されているように材料別に分別して解梱できるようにすることは、今日的テーマであるが、段ボール材一つとってみてもその包装材としての形態は、ステッチングワイヤー等、金属製の固定手段で維持されていることが多く、これを除去して段ボール材だけにすることは困難であり、解梱に際しては結束バンドや段ボール、ネジ類さらに保護シートなど多くの包装廃棄物がでる。
【０００５】
資源の有効利用や包装廃棄物の削減といった観点からは、再利用或いはリサイクルの利く単一材料で緩衝保護機能の優れた包装を構成し、部材点数もなるべく少ない方が好ましい。
【０００６】
本発明は、上記した包装に係る観点にたってなされたものであって、その課題とするところは、通い箱としても利用でき、構成部材が少なく包装コストを抑え得る包装廃棄物の殆ど出ない緩衝保護機能の良い包装箱を開発することであり、リサイクル性があり緩衝保護機能の優れた包装箱を得ることであり、その包装箱の包装機能を拡充することであり、さらにその包装箱の荷役や回収に役立つ荷役用パレットを提供することである。
【０００７】
【課題を解決するための手段】
前記課題を達成するために請求項1の発明は、緩衝機能を果たす弾性を備えた樹脂材料よりなる容器構造の箱体を構成し、この箱体の容器部分に物品を他の介在物なしに直接保持する保持構造を設け、箱体単独で物品を包装するようにする手段を採用する。
【０００８】
前記課題を達成するために請求項２の発明は、請求項１に係る前記手段における保持構造を、物品の横移動及び上下移動を拘束する弾性を有する複数の端面リブ及び側面リブにより構成する手段を採用する。
【０００９】
前記課題を達成するために請求項３の発明は、請求項１又は請求項２のいずれかに係る前記手段における側面リブを、容器部分に複数設け、長さの異なる物品に対応できるようにする手段を採用する。
【００１０】
前記課題を達成するために請求項４の発明は、請求項３に係る前記手段における端面リブ及び側面リブを物品の収納数に合わせて複数設ける手段を採用する。
【００１１】
前記課題を達成するために請求項５の発明は、請求項１〜請求項４までのいずれかに係る前記手段における箱体の底面に嵌合凸部を設け、箱体の容器部分の上部に嵌合凸部に嵌合する寸法形状の嵌合凹部を設ける手段を採用する。
【００１２】
前記課題を達成するために請求項６の発明は、請求項５に係る前記手段における嵌合凹部の横平面に容器部分を囲む溝を形成する手段を採用する。
【００１３】
前記課題を達成するために請求項７の発明は、請求項１〜請求項６までのいずれかに係る前記手段における箱体の視認可能部分に使用回数を表示する回数表示手段を設ける手段を採用する。
【００１４】
前記課題を達成するために請求項８の発明は、請求項１〜請求項７までのいずれかに係る前記手段における箱体の視認可能部分に表示部材を交換可能に表示できる表示窓を設ける手段を採用する。
【００１５】
前記課題を達成するために請求項９の発明は、請求項１〜請求項８までのいずれかに係る前記手段における箱体をポリプロピレンの発泡体で形成する手段を採用する。
【００１６】
前記課題を達成するために請求項１０の発明は、複数の包装箱を積重ねて載置する載置面を有する荷役用パレットについて、その載置面に載置した包装箱を結束する反復利用できる結束手段を備え付ける手段を採用する。
【００１７】
前記課題を達成するために請求項１１の発明は、請求項１０に係る前記手段における包装箱を載置する載置面に包装箱の底部に形成された嵌合凸部の嵌まる凹部を形成する手段を採用する。
【００１８】
【発明の実施の形態】
図１〜図１０によって示す本実施の形態は、反復使用できる集合包装に適した比較的質量の大きい物品のための包装箱及びその包装箱の荷役に供する荷役用パレットに関するものである。この包装箱は、緩衝機能を果たす弾性と被包装物である物品に対する保護機能を果たすに足る適度な強度を備えさせ得るポリプロピレン等の樹脂材料による発泡成形物として構成されている。包装箱を構成するポリプロピレンはリサイクルが利くうえ、発泡倍率を調整することで必要に応じた強度や硬さがえられ、物品の保持や緩衝保護機能を果たすための弾性も容易に付与できるので生産性もよく好適な包装用の樹脂材料である。
【００１９】
包装箱の形状は、図１及び図２に示すように荷扱いし易い上部の開放した容器構造の直方体の箱体１であって、その収納空間部である容器部分２に物品３（図１０参照）を直接保持する保持構造が一体成形されている。本実施の形態では図１及び図２に示すように箱体１に二つの容器部分２が隣接して二つ形成され、一つの箱体１に二つの物品３をまとめて収込むことができるようになっている。各容器部分２は、収納する物品３より縦横深さとも大きい上部の開放した角形の空間として形成されている。保持構造は、容器部分２に物品３を、空気緩衝する間隙５を保って保持する弾性を備えた突出構造であり、物品３の質量を支え落下衝撃から物品を保護し、横方向及び上下方向の移動を拘束するする複数の側面リブ７と、及び物品３の端面を保持する端面リブ８により構成されている。側面リブ７は箱体１と一体で、対向する対構成となっている。保持構造には、それらの側面リブ７及び端面リブ８に物品３の一部が直接当接しても物品に損傷をきたさない弾性が発泡倍率の設定により付与されている。
【００２０】
箱体１の外底面には図５に示すように周囲より少し突出した嵌合凸部９が設けられ、箱体１の容器部分２を画成する上部の辺縁には嵌合凸部９に嵌合する寸法形状の嵌合凹部１０が設けられている。この箱体１の上部の嵌合凹部１０における横平面には容器部分２を取り囲む溝１１が図４に示すように形成されている。さらに、箱体１の外側面等の視認可能部分には、図５，図６に示すような箱体１の包装に使った使用回数を表示する回数表示手段１２と、図７に示すような箱体１内の物品３の種類等を表示した表示部材１３を抜差しにより交換可能に構成した表示窓１４がそれぞれ設けられている。
【００２１】
回数表示手段１２は、包装箱を通い箱等として反復使用した回数を表すものであって、包装箱が包装箱としてその使用に適さない時期にあるか否かの判断材料となるものである。従って、その構成は、図５及び図６に示すように箱体１の外表の一部に凹部を、設定した使用回数（例えば２０回）分並んで形成し、使用回数毎にチェックマーク１５を付すようにしたり、使用回数を示すラベル１６を貼付するようにすればよい。設定した使用回数の数の突起を作り、使用毎に突起を抹消する仕方もあるが、突起物は荷扱いにおいて損傷しやすく、凹部による回数表示手段の方が表示の損傷も汚れも少なく機能性は高い。
【００２２】
この包装箱は、容器部分２に物品３を側面リブ７と端面リブ８とによって保持させて収め、嵌合凹部１０に嵌り合う蓋板１７で閉蓋することにより包装形態とするものである。蓋板１７については箱体１と同一材料で構成された平板である。物品３の収納に際しては、保護シートや緩衝材等は一切介在させず、直接箱体１に収込む。物品３に対する緩衝保護は、箱体１自体が持つ強度と、側面リブ７及び端面リブ８の持つ弾性（バネ性）による衝撃緩衝機能により果たされ、物品３と容器部分２の内壁面との間に形成される間隙５による空気緩衝機能により良好に果たされる。解梱は、蓋板１７を開け物品３を取出せば済み、包装廃棄物としては箱体１と蓋板１７のみである。箱体１も蓋板１７もポリプロピレンであり、異なる材料は一切含まれていないので、分別の必要もなく廃棄処理でき、リサイクルに回すことができる。箱体１に嵌め合わせた蓋板１７との間から水が浸入するようなことがあっても容器部分２を取り囲む溝１１に水が溜まることになり、物品３が濡れるようなことはない。
【００２３】
箱体１及び蓋板１７は、耐久性があるため反復利用することができる。即ち、物品３の輸送や移動、保管に係る通い箱として反復使用することができる。通い箱として使うことにより、設定された使用回数までは解梱による包装廃棄物は出ず、廃棄に係るコストも掛からない。
【００２４】
通い箱として使う場合には多くの場合、図８及び図９に示すように集合包装形態が採られることになるが、箱体１を嵌合凹部１０に嵌合凸部９を嵌め合わせて積重ねることにより、荷崩れのしない安定した荷形態にすることができる。積重ねによる集合包装形態では、上段の箱体１の外底面が下段の箱体１の蓋となるため、蓋板１７は最上段の箱体１についてのみ装着すればよい。使用回数は、回数表示手段１２による表示で確認でき、設定回数に到達した時点で廃棄処分すればよい。側面リブ７は複数対形成されているため、図１０に示すように長さの短い物品３も包装することができ、内容物の物品３の違いについては、その旨を表示した表示部材１３を表示窓１４に差込んでおくことにより、外から容易に表示が分かり、通い箱としての包装機能が拡充することになる。
【００２５】
こうした集合包装形態を採る場合、荷役車両等による荷役のためのパレットを利用することが多い。本実施の形態では、図８及び図９に示すように包装箱を積上げる載置面１８上に箱体１の嵌合凸部９を嵌込むことができる凹部１９が設けられた箱体１と同一材料で構成された荷役用パレット２０が用いられている。荷役用パレット２０には、載置面１８に載置した重ね積みにした包装箱を一括して結束する反復利用できる結束手段としてのポリプロピレンによるベルト２１が備え付けられている。ベルト２１は二分割に構成され、一方のベルト２１の端には他方のベルト２１の端側を挿通させ任意の位置で締結できるバックル２２が取付けられている。
【００２６】
この荷役用パレット２０の載置面１８の凹部１９に包装箱を嵌め合わせて積重ね、ベルト２１を掛けて全体を結束することにより、荷崩れしにくく、荷役作業のし易い図８に示すような集合包装形態が得られる。荷役用パレット２０は、包装箱とともに反復利用でき、廃却時にも包装箱と同様にバックル２２だけを切り離すことでリサイクルに回すことができる。なお、荷役用パレット２０については、木材で構成しても構わない。また、バックル２２については簡易接着テープ等で構成することもできる。
【００２７】
【発明の効果】
請求項１の発明によれば、反復して使う通い箱としても利用でき、構成部材が少なく包装コストもかからず包装廃棄物の殆ど出ない緩衝保護機能の良い包装箱が得られる。
【００２８】
請求項２の発明によれば、請求項１に係る前記効果とともに物品の緩衝保護機能が向上する。
【００２９】
請求項３の発明によれば、請求項１又は請求項２のいずれかに係る前記効果とともに長さの異なる物品の包装に適用することが可能になる。
【００３０】
請求項４の発明によれば、請求項３に係る前記効果とともに物品収納数を変えることができる。
【００３１】
請求項５の発明によれば、請求項１〜請求項４までのいずれかに係る前記効果とともに積上げによる荷形態での荷崩れを防止でき、蓋板の数を減らすことができる。
【００３２】
請求項６の発明によれば、請求項５に係る前記効果とともに容器部分への外部からの水の浸入を防止することができる。
【００３３】
請求項７の発明によれば、請求項１〜請求項６までのいずれかに係る前記効果とともに通い箱としての使い勝手及び扱い機能が向上する。
【００３４】
請求項８の発明によれば、請求項１〜請求項７までのいずれかに係る前記効果とともに収納されている物品の判別が容易になる。
【００３５】
請求項９の発明によれば、請求項１〜請求項８までのいずれかに係る前記効果とともにリサイクル性及び必要強度や弾性が容易に得られ、生産性も向上する。
【００３６】
請求項１０の発明によれば、荷積みに関する結束部材を廃棄物とせずに反復利用でき、包装廃棄物を低減できる。
【００３７】
請求項１１の発明によれば、請求項１０に係る前記効果とともに積重ねて載置した包装箱の荷崩れを防止することができる。
【図面の簡単な説明】
【図１】  実施の形態の包装箱を示す平面図である。
【図２】  実施の形態の包装箱を示す縦断正面図である。
【図３】  実施の形態の包装箱を示す縦断側面図である。
【図４】  実施の形態の包装箱の嵌合凹部部分を拡大して示す部分断面図である。
【図５】  実施の形態の包装箱の回数表示手段を示す部分拡大図である。
【図６】  実施の形態の包装箱の他の回数表示手段を示す部分拡大図である。
【図７】  実施の形態の包装箱の表示窓を示す部分拡大斜視図である。
【図８】  実施の形態の包装箱の集合包装形態を示す斜視図である。
【図９】  実施の形態の包装箱の集合包装形態を、一部を断面にして示す側面図である。
【図１０】  実施の形態の包装箱を物品とともに示す平面図である。
【符号の説明】
１  箱体、  ２  容器部分、  ３  物品、  ５  間隙、  ７  側面リブ、  ８端面リブ、  ９  嵌合凸部、  １０  嵌合凹部、  １１  溝、  １２  回数表示手段、  １３  表示部材、  １４  表示窓、  １８  載置面、  １９  凹部、２１  ベルト、  ２２  バックル。
【図１】
0004776816.tif 000002
【図２】
0004776816.tif 000003
【図３】
0004776816.tif 000004
【図４】
0004776816.tif 000005
【図５】
0004776816.tif 000006
【図６】
0004776816.tif 000007
【図７】
0004776816.tif 000008
【図８】
0004776816.tif 000009
【図９】
0004776816.tif 000010
【図１０】
0004776816.tif 000011